(57)【特許請求の範囲】
【請求項１】
柱及び梁から略直方体状の骨組みを有する建物ユニットを上下左右に複数組み合わせて施工されるユニット式建物に用いられ、左右に並べられる下階用の建物ユニットの角部と、これらの下階用の建物ユニットの上にそれぞれ配置される上階用の建物ユニットの角部とを連結する連結部材であって、
前記下階用の建物ユニットの角部上面同士を位置決め固定し水平方向に作用する力を伝達する下面部と、前記上階用の建物ユニットの角部下面同士を位置決め固定し水平方向に作用する力を伝達する上面部と、これらの上面部と下面部とを連結し鉛直方向に作用する力を伝達する垂直面部とを有し、かつ、箱状に形成され、
前記垂直面部は前記上面部と前記下面部との端縁同士を連結する端縁用垂直面部を備え、前記端縁用垂直面部には前記建物ユニットに設けられる外壁材を支持する支持金具が取り付けられることを特徴とする連結部材。
【請求項２】
柱及び梁から略直方体状の骨組みを有する建物ユニットを上下左右に複数組み合わせて施工されるユニット式建物に用いられ、左右に並べられる下階用の建物ユニットの角部と、これらの下階用の建物ユニットの上にそれぞれ配置される上階用の建物ユニットの角部とを連結する連結部材であって、
前記下階建物ユニットにおいて対向する上梁の角部の上面と当接し前記下階用の建物ユニットの角部同士を位置決め固定し水平方向に作用する力を伝達する下面部と、前記上階用の建物ユニットにおいて対向する下梁の角部の下面と当接し前記上階用の建物ユニットの角部下面同士を位置決め固定し水平方向に作用する力を伝達する上面部と、これらの上面部と下面部とを連結し鉛直方向に作用する力を伝達する垂直面部とを有し、かつ、箱状に形成され、
前記下面部の前記下階建物ユニットにおいて対向する上梁の角部の上面が当接する面には、前記上梁の角部に立設された位置決めする係合ピンに対応する係合孔と、前記上梁の角部に設けられたボルトが挿通される係合孔に対応する係合孔とを備え、
前記上面部の前記上階建物ユニットにおいて対向する下梁の角部の下面が当接する面には、前記下梁の角部の下面に設けられた係合孔に対応するガイドピンと、前記下梁の角部に設けられたボルトが挿通される係合孔に対応する係合孔とを備えていることを特徴とする連結部材。
【請求項３】
請求項１又は請求項２に記載の連結部材であって、
前記垂直面部は前記上階用の建物ユニットと下階用の建物ユニットとの柱の大きさに対応して配置されていることを特徴とする連結部材。
【請求項４】
上梁、下梁及び柱から略直方体状に形成され平面四角形の上面と下面とを有する骨組みを備え、且つ、この建物ユニットを前後左右に少なくとも４個ずつ各々上階部と下階部とに配置するユニット式建物であって、前記ユニット式建物は請求項１から請求項３のいずれかに記載の連結部材を有することを特徴とするユニット式建物。
【発明の詳細な説明】
【技術分野】
【０００１】
本発明は、建物ユニットの連結部材及びユニット式建物に関する。
【背景技術】
【０００２】
従来、柱及び梁から直方体状に形成された骨組みを有する建物ユニットを複数並べて施工し、隣り合う建物ユニットの間を接合プレートで位置決め固定し構造上建物の水平剪断力を隣の建物ユニットに伝える役割を持つ金具が付いたユニット式建物がある（例えば、特許文献１参照）。このユニット式建物では、通常、同じ高さの柱を用いるため、各階の天井高さが同じとなる。レイアウトの多様化に伴って、階によっては天井高さを変えたい場合がある。
従来では、標準高さの建物ユニットと、標準高さ建物ユニットより高さ寸法の高い階高建物ユニットとを用いてユニット式建物を施工するものがある（例えば、特許文献２参照）。
【０００３】
【特許文献１】特開平０９−１５８３２８号公報
【特許文献２】特開平１０−１６９０１７号公報
【発明の開示】
【発明が解決しようとする課題】
【０００４】
しかし、この従来例では、標準的な建物ユニットとは大きさの異なる階高建物ユニットを製造しなければならない。そのため、複数種の建物ユニットを生産する必要があり生産ラインを複数系列化しなければならないことから、建物ユニットの製造コストが従来よりも高いものとなるという問題がある。
【０００５】
本発明の目的は、標準高さ建物ユニットを用いて天井高さを高くできる連結部材及びユニット式建物を提供することである。
【課題を解決するための手段】
【０００６】
本発明の連結部材２０，３０は、柱１０及び梁１１，１２から略直方体状の骨組み１３を有する建物ユニット３，５を上下左右に複数組み合わせて施工されるユニット式建物１に用いられ、左右に並べられる下階用の建物ユニット３の角部１４と、これらの下階用の建物ユニット３の上にそれぞれ配置される上階用の建物ユニット５の角部１４とを連結する連結部材２０，３０であって、前記下階用の建物ユニット３の角部１４上面同士を位置決め固定し水平方向に作用する力を伝達する下面部２１，３１と、前記上階用の建物ユニット５の角部１４下面同士を位置決め固定し水平方向に作用する力を伝達する上面部２２，３２と、これらの上面部２２，３２と下面部２１，３１とを連結し鉛直方向に作用する力を伝達する垂直面部２３，３３とを有し、かつ、箱状に形成され、前記垂直面部２３，３３は上面部２２，３２と下面部２１，３１との端縁同士を連結する端縁用垂直面部３３Ｂを備え、前記端縁用垂直面部３３Ｂには前記建物ユニット３，５に設けられる外壁材８を支持する支持金具３５が取り付けられることを特徴とする。
【０００７】
この発明によれば、上階用の建物ユニット５と下階用の建物ユニット３との間に高さ寸法がＨの連結部材２０，３０を挟みこむため、上階用の建物ユニット５と下階用の建物ユニット３との間に連結部材２０，３０の垂直面部２３，３３の高さ寸法Ｈ分の隙間が生じる。そのため、ユニット式建物１の居室を連結部材２０，３０の垂直面部２３，３３の高さ寸法Ｈ分、階高とすることができる。
【０００８】
従って、上階部６と下階部４との天井高さが異なるユニット式建物１を同じ建物ユニット３，５を用いて構成することができる。
よって、複数種の建物ユニット３，５を生産する必要がなく、生産ラインを複数系列化する必要もないので、建物ユニット３，５の製造コストを上げることなく天井高さの高いユニット式建物１を構成することができる。
【０００９】
また、上面部２２，３２及び下面部２１，３１は、それぞれ隣り合う建物ユニット３，５の角部１４同士を位置決め固定するので、前後左右に隣り合う建物ユニット３，５を連結固定し構造上建物の水平剪断力を隣の建物ユニット３，５に伝える役割を果たすことができる。
さらに、上面部２２，３２と下面部２１，３１は垂直面部２３，３３によって一体に形成されているので、上階用の建物ユニット５と下階用の建物ユニット３とを一体に連結固定し構造上建物の鉛直剪断力を隣の建物ユニット３，５に伝える役割を果たすことができる。
しかも、連結部材２０，３０は建物ユニット３，５の連結補強のみならず、外壁材８を支持することもできる。このため、別に外壁材８の支持部材を設ける必要がなく、ユニット式建物１の構成を簡略化することができる。
【００１０】
本発明では、前記垂直面部２３，３３は前記上階用の建物ユニット５と下階用の建物ユニット３との柱１０の大きさに対応して配置されている構成が好ましい。
この発明によれば、連結部材２０，３０は箱状に形成されるため、当該箱の外側両端の垂直面部２３，３３が上階用の建物ユニット５及び下階用の建物ユニット３の柱１０と同一直線上に位置することとなる。
【００１１】
このため、上階用の建物ユニット５の柱１０に伝わる鉛直力を垂直面部２３，３３を通じて下階用の建物ユニット３の柱１０へ伝達することができ、ユニット式建物１にかかる力を直線状に伝達することができるので、応力集中やせん断応力等による建物ユニット３，５の変形やそれを防ぐための新たな補強などを不要とすることができる。
【００１２】
本発明の異なる連結部材は、柱及び梁から略直方体状の骨組みを有する建物ユニットを上下左右に複数組み合わせて施工されるユニット式建物に用いられ、左右に並べられる下階用の建物ユニットの角部と、これらの下階用の建物ユニットの上にそれぞれ配置される上階用の建物ユニットの角部とを連結する連結部材であって、前記下階建物ユニットにおいて対向する上梁の角部の上面と当接し前記下階用の建物ユニットの角部同士を位置決め固定し水平方向に作用する力を伝達する下面部と、前記上階用の建物ユニットにおいて対向する下梁の角部の下面と当接し前記上階用の建物ユニットの角部下面同士を位置決め固定し水平方向に作用する力を伝達する上面部と、これらの上面部と下面部とを連結し鉛直方向に作用する力を伝達する垂直面部とを有し、かつ、箱状に形成され、前記下面部の前記下階建物ユニットにおいて対向する上梁の角部の上面が当接する面には、前記上梁の角部に立設された位置決めする係合ピンに対応する係合孔と、前記上梁の角部に設けられたボルトが挿通される係合孔に対応する係合孔とを備え、前記上面部の前記上階建物ユニットにおいて対向する下梁の角部の下面が当接する面には、前記下梁の角部の下面に設けられた係合孔に対応するガイドピンと、前記下梁の角部に設けられたボルトが挿通される係合孔に対応する係合孔とを備えていることを特徴とする。
【００１３】
本発明のユニット式建物１は、上梁１１、下梁１２及び柱１０から略直方体状に形成され平面四角形の上面と下面とを有する骨組み１３を備え、この建物ユニット３，５を前後左右に少なくとも４個ずつ各々上階部６と下階部４とに配置するユニット式建物１であって、前記ユニット式建物１は請求項１から請求項３のいずれかに記載の連結部材２０，３０を有することを特徴とする。
【００１４】
この発明によれば、上階用の建物ユニット５と下階用の建物ユニット３との間に連結部材２０，３０を挟みこむので、上階用の建物ユニット５と下階用の建物ユニット３との間に連結部材２０，３０の垂直面部２３，３３の高さ寸法Ｈ分の隙間が生じる。このため、ユニット式建物１を連結部材２０，３０の垂直面部２３，３３の高さ寸法Ｈ分、階高とすることができる。
【００１５】
また、上面部２２，３２及び下面部２１，３１は、それぞれ隣り合う建物ユニット３，５の角部１４同士を位置決め固定するので、前後左右に隣り合う建物ユニット３，５を連結固定し構造上建物の水平剪断力を隣の建物ユニット３，５に伝える役割を果たすことができる。また、上面部２２，３２と下面部２１，３１は垂直面部２３，３３によって一体に形成されているので、上階用の建物ユニット５と下階用の建物ユニット３とを一体に連結固定し構造上建物の鉛直剪断力を隣の建物ユニット３，５に伝える役割を果たすことができる。
【発明を実施するための最良の形態】
【００１６】
以下、本発明の実施形態を図面に基づいて説明する。
図１〜図５には本発明の一実施形態のユニット式建物１が示されている。
図１は、本発明に係るユニット式建物の一実施形態を示す全体図である。図２は、前記一実施形態のユニット式建物を示す全体縦断面図である。
【００１７】
図１，２に示すように、本実施形態のユニット式建物１は、基礎２の上に設けられた例えば６個の下階用の建物ユニットとしての下階建物ユニット３からなる下階部４と、下階部４の下階建物ユニット３の上に載置された６個の上階用の建物ユニットとしての上階建物ユニット５からなる上階部６と、この上階部６の上方に設けられる屋根部７とを備えて構成されている。この屋根部７は、小屋枠７Ａとこの小屋枠７Ａに支持される屋根パネル７Ｂとを含み構成され、ユニット式建物１の外周側壁には外壁材８が設けられている。
【００１８】
また、下階建物ユニット３と上階建物ユニット５の間には連結部材２０，３０が挟み込まれており、下階建物ユニット３と上階建物ユニット５とは、これら連結部材２０，３０の高さ寸法Ｈだけ離されている。
【００１９】
以上の建物ユニット３，５は、図３に示す構成とされている。
図３は前記一実施形態の建物ユニットを示す全体斜視図である。図３に示すように、建物ユニット３，５は、４本の柱１０と、これらの柱１０の上端間同士を結合する４本の上梁１１と、各柱１０の下端間同士を結合する４本の下梁１２とを含む骨組み１３を有し、この骨組み１３が略直方体状に形成されている。
【００２０】
そして、上梁１１は各２本の長辺上梁１１Ａ及び短辺上梁１１Ｂで構成され、下梁１２は各２本の長辺下梁１２Ａ及び短辺下梁１２Ｂで構成されている。２本の長辺上梁１１Ａ間、及び２本の長辺下梁１２Ａ間には、図示しないが、複数本の天井小梁、複数本の根太がそれぞれ架け渡されている。また、柱１０と上梁１１及び下梁１２とは、角部としての仕口１４を介して接続されている。
【００２１】
図４は、（Ａ）前記一実施形態の内部連結部材を示す全体斜視図である。（Ｂ）前記一実施形態の内部連結部材を示すＶＩ−ＶＩ断面図である。図６は、前記一実施形態の要部を示す分解斜視図である。
【００２２】
図４、図６に示したように、内部連結部材２０は、隣り合う下階建物ユニット３において対向する上梁１１の仕口１４の上面と当接する下面部２１と、隣り合う上階建物ユニット５において対向する下梁１２の仕口１４の下面と当接する上面部２２と、これら下面部２１と上面部２２とを連結する垂直面部２３とを備えた略直方体箱状となっている。
【００２３】
そして、下面部２１と仕口１４の上面とが当接する面には、仕口１４に立設された位置決めする係合ピン１５，１６に対応する係合孔２４Ａと、仕口１４に設けられたボルト１７が挿通される係合孔１４Ａに対応する係合孔２４Ｂとを備えている。
また、上面部２２と仕口１４の下面とが当接する面には、仕口１４の下面に設けられた図示しない係合孔に対応するガイドピン２４Ｃと、仕口１４に設けられたボルト１７が挿通される係合孔１４Ａに対応する係合孔２４Ｂとを備えている。
さらに、係合孔２４Ｂの内側には、係合孔１４Ａと係合孔２４Ｂとに挿通されるボルト１７と螺合されるナット１８及びナット１８を支持固定するホルダ１９が設けられている。
また、下面部２１及び上面部２２と仕口１４とが当接する面は、仕口１４の上面若しくは下面の面積と略同じとなっている。
【００２４】
垂直面部２３は、対向する下面部２１と上面部２２とに挟まれることで連結している高さ寸法Ｈの部材である。
この垂直面部２３は、内部連結部材２０の縦と横との２方向に延びており、内部連結部材２０の縦方向中央に横方向へ延びた横垂直部材２３Ａと、この横垂直部材２３Ａに直交して延びた縦垂直部材２３Ｂとを備えている。
【００２５】
この縦垂直部材２３Ｂは、下面部２１及び上面部２２の両端に位置するものと、これらに挟まれて略等間隔に位置するものとを有している。
また、これらの縦垂直部材２３Ｂは下階建物ユニット３及び上階建物ユニット５の一直線上に位置する柱１０と同一直線上に設けられている。
【００２６】
図５は、（Ａ）前記一実施形態の外部連結部材を示す全体斜視図である。（Ｂ）前記一実施形態の外部連結部材を示すＶＩＩ−ＶＩＩ断面図である。
【００２７】
図５、図６に示したように、外部連結部材３０は隣り合う下階建物ユニット３においてユニット式建物１の側面に位置する上梁１１の仕口１４の上面と当接する下面部３１と、隣り合う上階建物ユニット５においてユニット式建物１の側面に位置する下梁１２の仕口１４の下面と当接する上面部３２と、これら下面部３１と上面部３２とを連結する縁端用垂直面部としての垂直面部３３と、外部連結部材３０の外周垂直面に設けられた支持金具としての第一係合部材３５及び第二係合部材３６とを備えた略直方体箱状となっている。
【００２８】
そして、内部連結部材２０と同様に、下面部３１と仕口１４の上面とが当接する面には、仕口１４に立設された位置決めする係合ピン１５，１６に対応する係合孔３４Ａと、仕口１４に設けられたボルト１７が挿通される係合孔１４Ａに対応する係合孔３４Ｂとを備えている。
また、上面部３２と仕口１４の下面とが当接する面には、仕口１４の下面に設けられた図示しない係合孔に対応するガイドピン３４Ｃと、仕口１４に設けられたボルト１７が挿通される係合孔１４Ａに対応する係合孔３４Ｂとを備えている。
さらに、係合孔３４Ｂの内側には、係合孔１４Ａと係合孔３４Ｂとに挿通されるボルト１７と螺合されるナット１８及びナット１８を支持固定するホルダ１９が設けられている。
また、下面部３１及び上面部３２と仕口１４とが当接する面は、仕口１４の上面若しくは下面の面積と略同じとなっている。
【００２９】
垂直面部３３は、対向する下面部３１と上面部３２とに挟まれることで連結している高さ寸法Ｈの部材である。
この垂直面部３３は、外部連結部材３０の縦と横との２方向に延びており、外部連結部材３０の縦方向中央に横方向へ延びた横垂直部材３３Ａと、この横垂直部材３３Ａに直交して延びた下面部３１及び上面部３２の両端に設けられた端縁用垂直面部としての縦垂直部材３３Ｂとを備えている。
また、これらの縦垂直部材３３Ｂは下階建物ユニット３及び上階建物ユニット５の一直線上に位置する柱１０と同一直線上に設けられている。
【００３０】
第一係合部材３５は、水平部３５Ａと垂直部３５Ｂとを有するＬ字状の部材であり、この垂直部３５Ｂが外部連結部材３０の外周垂直面、具体的には縦垂直部材３３Ｂの外側下方に当接し固定されている。
第二係合部材３６は、略コ字状の部材であって、第一係合部材３５の垂直上方に設けられている。
【００３１】
また、第一係合部材３５は同一の縦垂直部材３３Ｂに並列して２個設けられており、これら２個の第一係合部材３５の水平部３５Ａは同じ高さ位置に配置されている。そして、これら２個の水平部３５Ａには、ガイドピン３５Ｃがそれぞれ１個ずつ立設されている。
【００３２】
外壁材８の一端は水平部３５Ａと係合する切欠８Ａと、この切欠８Ａに設けられるガイドピン３５Ｃに嵌合する収容部材８Ｃとを備え、他端は第二係合部材３６により係止される係止部材８Ｂを備えている。また、この係止部材８Ｂは図示しない挿通孔を有しており、この挿通孔にボルト１７が挿通され、このボルト１７が外壁材８に埋め込まれたナット１８に螺合することで固定されている。
これにより、外壁材８は、収容部材８Ｃがガイドピン３５Ｃに位置決めされるとともに切欠８Ａが水平部３５Ａに係合される。また、これと同時に係止部材８Ｂが第二係合部材３６に係合されることで、外部連結部材３０に支持固定されるようになっている。
【００３３】
次に、図１から図６を参照しながら、以上のようなユニット式建物１の構築方法を説明する。
まず、図１に示すように、基礎２の上に６個の下階建物ユニット３のうち３個ずつを、一方向に隣合わせて配置し、アンカーボルト等で固定する。
次いで、図２、図５及び図６に示すように、連結部材２０，３０を６個の下階建物ユニット３の上梁１１の仕口１４の上面に下面部２１，３１が当接するように配置される。
【００３４】
このとき、仕口１４の上面と下面部２１，３１とは、仕口１４の係合ピン１５，１６と係合孔２４Ａ，３４Ａとが係合して位置決めされ、係合孔１４Ａと係合孔２４Ｂ，３４Ｂとにボルト１７が挿通され、連結部材２０，３０の内側に設けられたナット１８と螺合されることにより一体に固定される。
【００３５】
そして、上面部２２，３２に６個の上階建物ユニット５の下梁１２の仕口１４の下面が上から当接することで、連結部材２０，３０は下階建物ユニット３と上階建物ユニット５とに挟み込まれる。
【００３６】
このとき、仕口１４の下面と上面部２２，３２とは、仕口１４の図示しない係合孔とガイドピン２４Ｃ，３４Ｃとが係合して位置決めされ、係合孔１４Ａと係合孔２４Ｂ，３４Ｂとにボルト１７が挿通され、連結部材２０，３０の内側に設けられたナット１８と螺合されることにより一体に固定される。
これにより、下階建物ユニット３と上階建物ユニット５とが連結部材２０，３０によって一体に連結される。
【００３７】
そして、下階建物ユニット３と上階建物ユニット５とに連結部材２０，３０が挟み込まれることで形成された隙間を閉塞するために、高さ寸法Ｈの外壁材８が外部連結部材３０の第一係合部材３５と第二係合部材３６とに支持固定されて取り付けられる。
【００３８】
その後、図２に示したように、上階部６の上階建物ユニット５の上方に、小屋枠７Ａを介して屋根パネル７Ｂ等を設けて屋根部７を構成し、ユニット式建物１を完成させる。
【００３９】
以上のような本実施の形態によれば、次のような効果が得られる。
（１）連結部材２０，３０は、隣り合う下階建物ユニット３において対向する上梁１１の仕口１４の上面と当接する下面部２１と、隣り合う上階建物ユニット５において対向する下梁１２の仕口１４の下面と当接する上面部２２と、これら下面部２１と上面部２２とを連結する垂直面部２３とを備えた略直方体箱状となっている。
【００４０】
このため、上階建物ユニット５と下階建物ユニット３との間に連結部材２０，３０が挟みこまれるため、上階建物ユニット５と下階建物ユニット３との間に連結部材２０，３０の垂直面部２３，３３の高さ寸法Ｈ分の隙間が生じるので、ユニット式建物１を高さ寸法Ｈ分、階高とすることができる。
【００４１】
従って、複数種の建物ユニット３，５を生産する必要がなく、生産ラインを複数系列化する必要もないので、建物ユニット３，５の製造コストを上げることなく階高のユニット式建物１を構成することができる。
【００４２】
よって、連結部材２０，３０を利用するだけで高さ寸法Ｈの隙間分、下階部４若しくは上階部６の天井高さが増大し、開放感あふれる居住空間を実現できる。また、増大した高さ寸法Ｈを床下部分の窪みとして利用することもでき（例えば、堀ごたつ、床下収納など）、より居住者のニーズに合わせた設計建築ができる。
【００４３】
また、上面部２２，３２及び下面部２１，３１は、それぞれ隣り合う建物ユニット３，５の角部１４同士を位置決め固定するので、前後左右に隣り合う建物ユニット３，５を連結固定し構造上建物の水平剪断力を隣の建物ユニット３，５に伝える役割を果たすことができる。
さらに、上面部２２，３２と下面部２１，３１は垂直面部２３，３３によって一体に形成されているので、上階建物ユニット５と下階建物ユニット３とを一体に連結固定し構造上建物の鉛直剪断力を隣の建物ユニット３，５に伝える役割を果たすことができる。
【００４４】
このため、ユニット式建物１に作用する力を鉛直方向及び水平方向に伝達することができるので、ユニット式建物１の剛性を高めることができる。
よって、応力集中やせん断応力等による建物ユニット３，５の変形やそれを防ぐための新たな補強などを不要とすることができる。
【００４５】
（２）垂直面部２３は、内部連結部材２０の縦と横との２方向に延びており、内部連結部材２０の縦方向中央に横方向へ延びた横垂直部材２３Ａと、この横垂直部材２３Ａに直交して延びた縦垂直部材２３Ｂとを備えている。この縦垂直部材２３Ｂは、下面部２１及び上面部２２の両端に位置するものと、これらに挟まれて略等間隔に位置するものとを有している。
【００４６】
また、これらの縦垂直部材２３Ｂは下階建物ユニット３及び上階建物ユニット５の一直線上に位置する柱１０と同一直線上に設けられている。さらに、外部連結部材３０の縦垂直部材３３Ｂも同様に下階建物ユニット３及び上階建物ユニット５の一直線上に位置する柱１０と同一直線上に設けられている。
【００４７】
このため、垂直面部２３，３３が上階建物ユニット５及び下階建物ユニット３の柱１０と同一直線上に位置することとなるので、上階建物ユニット５の柱１０に伝わる力を垂直面部２３，３３を通じて下階建物ユニット３の柱１０へ一直線上に伝達することができる。従って、柱１０は鉛直方向の荷重を受けるだけでよく、曲げ応力などを受けなくてよい。
よって、柱１０は必要最小限の荷重応力を受けるだけとなり、効率よくユニット式建物１を支えることができる。
【００４８】
（３）第一係合部材３５は同一の縦垂直部材３３Ｂに並列して２個設けられており、これら２個の第一係合部材３５の水平部３５Ａは同じ高さ位置に配置されている。そして、これら２個の水平部３５Ａには、ガイドピン３５Ｃがそれぞれ１個ずつ立設されている。
第二係合部材３６は、略コ字状の部材であって、第一係合部材３５の垂直上方に設けられている。
また、外壁材８の一端は水平部３５Ａと係合する切欠８Ａと、この切欠８Ａに設けられるガイドピン３５Ｃに嵌合する収容部材８Ｃとを備え、他端は第二係合部材３６により係止される係止部材８Ｂを備えている。
【００４９】
このため、外壁材８は、収容部材８Ｃがガイドピン３５Ｃに位置決めされるとともに切欠８Ａが水平部３５Ａに係合される。また、これと同時に係止部材８Ｂが第二係合部材３６に係合されることで、外部連結部材３０に支持固定されるようになっているので、連結部材２０，３０は建物ユニット３，５の連結補強のみならず、外壁材８を支持することもできる。
【００５０】
（４）ユニット式建物１は、６個の下階建物ユニット３からなる下階部４と、下階部４の下階建物ユニット３の上に載置された６個の上階建物ユニット５からなる上階部６と、この上階部６の上方に設けられる屋根部７とを備えて構成されている。
【００５１】
また、下階建物ユニット３と上階建物ユニット５の間には連結部材２０，３０が挟み込まれており、下階建物ユニット３と上階建物ユニット５とは、これら連結部材２０，３０の高さ寸法Ｈだけ離れている。
このため、上記（１）と同様の作用効果を達成するユニット式建物１を提供できる。
【００５２】
なお、本発明は前述の一実施形態に限定されるものではなく、本発明の目的を達成できる範囲での変形、改良等は本発明に含まれるものである。
本実施形態では、２階建てのユニット式建物１であったがこれに限らず、３階以上のユニット式建物であってもよい。
【００５３】
本実施形態では、６個の建物ユニット３により下階部４を形成したが、これに限らず、４個の建物ユニットから下階部４を形成してもよく、複数の建物ユニット３，５を組み合わせたユニット式建物１であればいずれでもよい。
【００５４】
本実施形態では、１個の外部連結部材３０に対して第一係合部材３５及び第二係合部材３６が２個ずつ設けられる構成となっているが、これに限らない。例えば、第一係合部材３５及び第二係合部材３６が３個以上ずつ設けられる構成であってもよい。すなわち、外壁材８を確実に支持固定できる構成であれば、いずれでもよい。
【産業上の利用可能性】
【００５５】
本発明は、個人住宅用に利用できる他、アパート等共同住宅にも利用することができる。
【図面の簡単な説明】
【００５６】
【図１】本発明に係るユニット式建物の一実施形態を示す全体図。
【図２】前記一実施形態のユニット式建物を示す全体縦断面図。
【図３】前記一記実施形態の建物ユニットを示す全体斜視図。
【図４】（Ａ）前記一実施形態の内部連結部材を示す全体斜視図。（Ｂ）前記一実施形態の内部連結部材を示すＶＩ−ＶＩ断面図。
【図５】（Ａ）前記一実施形態の外部連結部材を示す全体斜視図。（Ｂ）前記一実施形態の外部連結部材を示すＶＩＩ−ＶＩＩ断面図。
【図６】前記一実施形態の要部を示す分解斜視図。
【符号の説明】
【００５７】
１…ユニット式建物
３…下階建物ユニット（下階用の建物ユニット）
５…上階建物ユニット（上階用の建物ユニット）
８…外壁材
１０…柱
１１…上梁
１２…下梁
１３…骨組み
１４…仕口（角部）
２０…内部連結部材
２１…下面部
２２…上面部
２３…垂直面部
３０…外部連結部材
３１…下面部
３２…上面部
３３…垂直面部
３３Ｂ…縦垂直部材（縁端用垂直面部）
３５…第一係合部材（支持金具）
３６…第二係合部材（支持金具）
【図１】
0005501571.tif 000002
【図２】
0005501571.tif 000003
【図３】
0005501571.tif 000004
【図４】
0005501571.tif 000005
【図５】
0005501571.tif 000006
【図６】
0005501571.tif 000007